(57)【要約】【課題】狭く暗い配管場所でも迅速容易に給湯機側の給湯又は戻湯配管を浴槽側の給湯又は戻湯接続管にワンタッチで配管接続でき作業時間の短縮と安全性向上をはかることができるワンタッチファスナー装置を提供する。【解決手段】給湯機側から配管されたフランジ付継手管５０と浴槽に接続されたフランジ付給湯接続管２０１又は戻湯接続管２０２とワンタッチファスナー３０とからなり、ワンタッチファスナー３０が円筒形の円周部３１の切欠部３１０を設けたファスナー本体３００と係止爪３１２を形成した複数個の係止ピン３１１とからなり、フランジ付給湯接続管又は戻湯接続管の先端にファスナー本体を嵌合し、フランジ付継手管をフランジ付給湯接続管又は戻湯接続管に挿入したとき継手管のフランジ５０１に係止ピンの先端の係止爪が係止し、ワンタッチで給湯配管６１又は戻湯配管６２と給湯接続管２０１又は戻湯接続管２０２との接続ができるもの。【選択図】        図１−５
2009299918.tif 000002
【特許請求の範囲】
【請求項１】
循環給湯機から配管された１対のフランジ付継手管５０Ａ又は５０Ｂ又は５０Ｃ又は５０Ｄ又は５０Ｅと、浴槽に接続されたフランジ付給湯接続管２０１及びフランジ付戻湯接続管２０２と、ワンタッチファスナー３０とからなり、ワンタッチファスナー３０が、円筒形の円周部３１の切欠部３１０を、給湯接続管２０１及び戻湯接続管２０２の外周に弾性的に嵌合できるようにした１対のファスナー本体３００と、各ファスナー本体３００の円周部３１の外周面から突出するように連設されて、各フランジ付継手管５０Ａ又は５０Ｂ又は５０Ｃ又は５０Ｄ又は５０Ｅのフランジ５０１に係合できるようにした係止爪３１２を形成した複数個の係止ピン３１１とからなり、フランジ付給湯接続管２０１及び戻湯接続管２０２の先端に各ファスナー本体３００の切欠部３１０を介して円周部３１を嵌合し、給湯配管６１及び戻湯配管６２を連結した各フランジ付継手管５０Ａ又は５０Ｂ又は５０Ｃ又は５０Ｄ又は５０Ｅを、フランジ付給湯接続管２０１及び戻湯接続管２０２に挿入したとき、各継手管５０Ａ又は５０Ｂ又は５０Ｃ又は５０Ｄ又は５０Ｅのフランジ５０１に、係止ピン３１１の先端の係止爪３１２が係止し、ワンタッチで給湯配管６１及び戻湯配管６２と給湯接続管２０１及び戻湯接続管２０２との接続ができるようにしたことを特徴とするワンタッチファスナー装置。
【請求項２】
給湯機から配管されたフランジ付継手管５０Ａ又は５０Ｂ又は５０Ｃ又は５０Ｄ又は５０Ｅと、浴槽に接続されたフランジ付給湯接続管２０１又はフランジ付戻湯接続管２０２と、ワンタッチファスナー３０とからなり、ワンタッチファスナー３０が、円筒形の円周部３１の切欠部３１０を、給湯接続管２０１又は戻湯接続管２０２の外周に弾性的に嵌合できるようにしたファスナー本体３００と、ファスナー本体３００の円周部３１の外周面から突出するように連設されて、フランジ付継手管５０Ａ又は５０Ｂ又は５０Ｃ又は５０Ｄ又は５０Ｅのフランジ５０１に係合できるようにした係止爪３１２を設けた複数個の係止ピン３１１とからなり、フランジ付給湯接続管２０１又は戻湯接続管２０２の先端にファスナー本体３００の切欠部３１０を介して円周部３１を嵌合し、給湯配管６１又は戻湯配管６２を連結したフランジ付継手管５０Ａ又は５０Ｂ又は５０Ｃ又は５０Ｄ又は５０Ｅを、フランジ付給湯接続管２０１又は給湯接続管２０２に挿入したとき、継手管５０Ａ又は５０Ｂ又は５０Ｃ又は５０Ｄ又は５０Ｅのフランジ５０１に、係止ピン３１１の先端の係止爪３１２が係止し、ワンタッチで給湯配管６１又は戻湯配管６２と給湯接続管２０１又は戻湯接続管２０２との接続ができるようにしたことを特徴とするワンタッチファスナー装置。
【請求項３】
前記フランジ付継手管５０Ａが、たけのこ状突条５０２Ａとフランジ５０１と挿入筒５０３と挿入筒５０３に外嵌したＯリング５０４とにより形成されていることを特徴とする請求項１及び２記載のワンタッチファスナー装置。
【請求項４】
前記フランジ付継手管５０Ｂが、ダブルロックリング５０２２ＢとＯリング５０２３Ｂを内嵌した外筒５０２Ｂとフランジ５０１と挿入筒５０３と挿入筒５０３に外嵌したＯリング５０４とにより形成されていることを特徴とする請求項１及び２記載のワンタッチファスナー装置。
【請求項５】
前記フランジ付継手管５０Ｃが、Ｏリング５０５Ｃを外嵌した内筒５０２Ｃとフランジ５０１と挿入筒５０３と挿入筒５０３に外嵌したＯリング５０４とクリップバンド５０６Ｃとにより形成されていることを特徴とする請求項１及び２記載のワンタッチファスナー装置。
【請求項６】
前記フランジ付継手管５０Ｄが、ロー付け筒５０２Ｄとフランジ５０１と挿入筒５０３と挿入筒５０３に外嵌したＯリング５０４とにより形成されていることを特徴とする請求項１及び２記載のワンタッチファスナー装置。
【請求項７】
前記フランジ付継手管５０Ｅが、管用おねじ５０２１Ｅを螺刻した外筒５０２Ｅとフランジ５０１と挿入筒５０３と挿入筒５０３に外嵌したＯリング５０４とにより形成されていることを特徴とする請求項１及び２記載のワンタッチファスナー装置。
【請求項８】
循環給湯機から配管された１対のフランジ付継手管５０Ｆ又は５０Ｇ又は５０Ｈ又は５０Ｊ又は５０Ｋと、浴槽に接続されたフランジ付給湯接続管２０１及びフランジ付戻湯接続管２０２と、ワンタッチファスナー３０とからなり、ワンタッチファスナー３０が、円筒形の円周部３１の切欠部３１０を、フランジ付継手管５０Ｆ又は５０Ｇ又は５０Ｈ又は５０Ｊ又は５０Ｋの外周に弾性的に嵌合できるようにした１対のファスナー本体３００と、各ファスナー本体３００の円周部３１の外周面から突出するように連設されて、給湯接続管２０１のフランジ２０１１及び戻湯接続管２０２のフランジ２０２１に係合できるようにした係止爪３１２を形成した複数個の係止ピン３１１とからなり、給湯配管６１及び戻湯配管６２を連結した１対のフランジ付継手管５０Ｆ又は５０Ｇ又は５０Ｈ又は５０Ｊ又は５０Ｋのスペーサ５０１１Ｆ又は５０１１Ｇ又は５０１１Ｈ又は５０１１Ｊ又は５０１１Ｋに、各ファスナー本体３００の切欠部３１０を介して円周部３１を嵌合し、各フランジ付継手管５０Ｆ又は５０Ｇ又は５０Ｈ又は５０Ｊ又は５０Ｋを、フランジ付給湯接続管２０１及び戻湯接続管２０２に挿入したとき、給湯接続管２０１のフランジ２０１１及び戻湯接続管２０２のフランジ２０２１に、係止ピン３１１の先端の係止爪３１２が係止し、ワンタッチで給湯配管６１及び戻湯配管６２と給湯接続管２０１及び戻湯接続管２０２との接続ができるようにしたことを特徴とするワンタッチファスナー装置。
【請求項９】
給湯機から配管されたフランジ付継手管５０Ｆ又は５０Ｇ又は５０Ｈ又は５０Ｊ又は５０Ｋと、浴槽に接続されたフランジ付給湯接続管２０１又はフランジ付戻湯接続管２０２と、ワンタッチファスナー３０とからなり、ワンタッチファスナー３０が、円筒形の円周部３１の切欠部３１０を、フランジ付継手管５０Ｆ又は５０Ｇ又は５０Ｈ又は５０Ｊ又は５０Ｋの外周に弾性的に嵌合できるようにしたファスナー本体３００と、ファスナー本体３００の円周部３１の外周面から突出するように連設されて、給湯接続管２０１のフランジ２０１１又は戻湯接続管２０２のフランジ２０２１に係合できるようにした係止爪３１２を設けた複数個の係止ピン３１１とからなり、給湯配管６１又は戻湯配管６２を連結したフランジ付継手管５０Ｆ又は５０Ｇ又は５０Ｈ又は５０Ｊ又は５０Ｋのスペーサ５０１１Ｆ又は５０１１Ｇ又は５０１１Ｈ又は５０１１Ｊ又は５０１１Ｋに、ファスナー本体３００の切欠部３１０を介して円周部３１を嵌合し、フランジ付継手管５０Ｆ又は５０Ｇ又は５０Ｈ又は５０Ｊ又は５０Ｋを、フランジ付給湯接続管２０１又は給湯接続管２０２に挿入したとき、給湯接続管２０１のフランジ２０１１又は戻湯接続管２０２のフランジ２０２１に、係止ピン３１１の先端の係止爪３１２が係止し、ワンタッチで給湯配管６１又は戻湯配管６２と給湯接続管２０１又は戻湯接続管２０２との接続ができるようにしたことを特徴とするワンタッチファスナー装置。
【請求項１０】
前記フランジ付継手管５０Ｆが、たけのこ状突条５０２とたけのこ状突条５０２Ｆの後端に外嵌したスペーサ５０１１Ｆとフランジ５０１と挿入筒５０３と挿入筒５０３に外嵌したＯリング５０４とにより形成されていることを特徴とする請求項８及び９記載のワンタッチファスナー装置。
【請求項１１】
前記フランジ付継手管５０Ｇが、ダブルロックリング５０２２ＧとＯリング５０２３Ｇを内嵌した外筒５０２Ｇと外筒５０２Ｇの後端に外嵌したスペーサ５０１１Ｇとフランジ５０１と挿入筒５０３と挿入筒５０３に外嵌したＯリング５０４とにより形成されていることを特徴とする請求項８及び９記載のワンタッチファスナー装置。
【請求項１２】
前記フランジ付継手管５０Ｈが、Ｏリング５０５Ｈを外嵌した内筒５０２Ｈと内筒５０２Ｈの後端に外嵌したスペーサ５０１１Ｈとフランジ５０１と挿入筒５０３と挿入筒５０３に外嵌したＯリング５０４とクリップバンド５０６Ｈとにより形成されていることを特徴とする請求項８及び９記載のワンタッチファスナー装置。
【請求項１３】
前記フランジ付継手管５０Ｊが、ロー付け筒５０２Ｊとロー付け筒５０２Ｊの後端に外嵌したスペーサ５０１１Ｊとフランジ５０１と挿入筒５０３と挿入筒５０３に外嵌したＯリング５０４とにより形成されていることを特徴とする請求項８及び９記載のワンタッチファスナー装置。
【請求項１４】
前記フランジ付継手管５０Ｋが、管用おねじ５０２１Ｋを螺刻した外筒５０２Ｋと外筒５０２Ｋの後端に外嵌したスペーサ５０１１Ｋとフランジ５０１と挿入筒５０３と挿入筒５０３に外嵌したＯリング５０４とにより形成されていることを特徴とする請求項８及び９記載のワンタッチファスナー装置。
【発明の詳細な説明】
【技術分野】
【０００１】
本発明は、給湯機側に設けた給湯配管又は戻湯配管を、浴槽側に設けた給湯接続管又は戻湯接続管に接続するワンタッチファスナー装置に関するものである。
【背景技術】
【０００２】
従来、図１３に示すように、一例として、浴槽側のフランジ２０１１付の給湯接続管２０１又はフランジ２０２１付の戻湯接続管２０２は、給湯機側に設けた給湯配管６１又は戻湯配管６２に、それぞれ連結した継手管５を介して、両フランジを挟着する１対の長孔７１０を設けた１対のクイックファスナーと称する固定具７１を介して連結していたが、給湯機側のフランジ配管と浴槽側のフランジ配管とを接合する細長くて小さい前記固定具７１の長孔７１０による取付けが、狭く暗い配管場所では困難である、また、固定具７１の接合時に、その金属製弾性板のため手先を怪我する場合があるなどの欠点があった。
そこで、本発明者は、本発明品を予め嵌合しておき、継手管の挿入筒を給湯接続管又は戻湯接続管に挿入するだけで、ワンタッチで配管接続ができるようにして、作業時間の短縮と、安全性の向上をはかることに成功した。
【特許文献１】実開平５−７９３５３号公報
【特許文献２】特願２００６−１７８３６５号
【発明の開示】
【発明が解決しようとする課題】
【０００３】
本発明は、給湯機側の給湯配管又は戻湯配管を、浴槽側の給湯接続管又は戻湯接続管に、ワンタッチで接続できるようにしたワンタッチファスナー装置を提供するものである。
また、本発明は、狭く暗い配管場所でも、迅速容易に、給湯機側の給湯配管又は戻湯配管と、浴槽側の給湯接続管又は戻湯接続管とを、ワンタッチで配管接続ができると共に、作業時間の短縮と安全性向上をはかることができるようにしたワンタッチファスナー装置を提供するものである。
また、本発明は、製作容易で量産でき安価につくワンタッチファスナー装置を提供するものである。
【課題を解決するための手段】
【０００４】
本発明のワンタッチファスナー装置は、上記課題を達成するため、図示するように、請求項１の発明は、循環給湯機から配管された１対のフランジ付継手管５０Ａ又は５０Ｂ又は５０Ｃ又は５０Ｄ又は５０Ｅと、浴槽に接続されたフランジ付給湯接続管２０１及びフランジ付戻湯接続管２０２と、ワンタッチファスナー３０とからなり、ワンタッチファスナー３０が、円筒形の円周部３１の切欠部３１０を、給湯接続管２０１及び戻湯接続管２０２の外周に弾性的に嵌合できるようにした１対のファスナー本体３００と、各ファスナー本体３００の円周部３１の外周面から突出するように連設されて、各フランジ付継手管５０Ａ又は５０Ｂ又は５０Ｃ又は５０Ｄ又は５０Ｅのフランジ５０１に係合できるようにした係止爪３１２を形成した複数個の係止ピン３１１とからなり、フランジ付給湯接続管２０１及び戻湯接続管２０２の先端に各ファスナー本体３００の切欠部３１０を介して円周部３１を嵌合し、給湯配管６１及び戻湯配管６２を連結した各フランジ付継手管５０Ａ又は５０Ｂ又は５０Ｃ又は５０Ｄ又は５０Ｅを、フランジ付給湯接続管２０１及び戻湯接続管２０２に挿入したとき、各継手管５０Ａ又は５０Ｂ又は５０Ｃ又は５０Ｄ又は５０Ｅのフランジ５０１に、係止ピン３１１の先端の係止爪３１２が係止し、ワンタッチで給湯配管６１及び戻湯配管６２と給湯接続管２０１及び戻湯接続管２０２との接続ができるようにしたもの。
本発明のワンタッチファスナー装置は、上記課題を達成するため、図示するように、請求項２の発明は、給湯機から配管されたフランジ付継手管５０Ａ又は５０Ｂ又は５０Ｃ又は５０Ｄ又は５０Ｅと、浴槽に接続されたフランジ付給湯接続管２０１又はフランジ付戻湯接続管２０２と、ワンタッチファスナー３０とからなり、ワンタッチファスナー３０が、円筒形の円周部３１の切欠部３１０を、給湯接続管２０１又は戻湯接続管２０２の外周に弾性的に嵌合できるようにしたファスナー本体３００と、ファスナー本体３００の円周部３１の外周面から突出するように連設されて、フランジ付継手管５０Ａ又は５０Ｂ又は５０Ｃ又は５０Ｄ又は５０Ｅのフランジ５０１に係合できるようにした係止爪３１２を設けた複数個の係止ピン３１１とからなり、フランジ付給湯接続管２０１又は戻湯接続管２０２の先端にファスナー本体３００の切欠部３１０を介して円周部３１を嵌合し、給湯配管６１又は戻湯配管６２を連結したフランジ付継手管５０Ａ又は５０Ｂ又は５０Ｃ又は５０Ｄ又は５０Ｅを、フランジ付給湯接続管２０１又は給湯接続管２０２に挿入したとき、継手管５０Ａ又は５０Ｂ又は５０Ｃ又は５０Ｄ又は５０Ｅのフランジ５０１に、係止ピン３１１の先端の係止爪３１２が係止し、ワンタッチで給湯配管６１又は戻湯配管６２と給湯接続管２０１又は戻湯接続管２０２との接続ができるようにしたもの。
本発明のワンタッチファスナー装置は、上記課題を達成するため、図示するように、請求項３の発明は、前記フランジ付継手管５０Ａが、たけのこ状突条５０２Ａとフランジ５０１と挿入筒５０３と挿入筒５０３に外嵌したＯリング５０４とにより形成されているもの。
本発明のワンタッチファスナー装置は、上記課題を達成するため、図示するように、請求項４の発明は、前記フランジ付継手管５０Ｂが、ダブルロックリング５０２２ＢとＯリング５０２３Ｂを内嵌した外筒５０２Ｂとフランジ５０１と挿入筒５０３と挿入筒５０３に外嵌したＯリング５０４とにより形成されているもの。
本発明のワンタッチファスナー装置は、上記課題を達成するため、図示するように、請求項５の発明は、前記フランジ付継手管５０Ｃが、Ｏリング５０５Ｃを外嵌した内筒５０２Ｃとフランジ５０１と挿入筒５０３と挿入筒５０３に外嵌したＯリング５０４とクリップバンド５０６Ｃとにより形成されているもの。
本発明のワンタッチファスナー装置は、上記課題を達成するため、図示するように、請求項６の発明は、前記フランジ付継手管５０Ｄが、ロー付け筒５０２Ｄとフランジ５０１と挿入筒５０３と挿入筒５０３に外嵌したＯリング５０４とにより形成されているもの。
本発明のワンタッチファスナー装置は、上記課題を達成するため、図示するように、請求項７の発明は、前記フランジ付継手管５０Ｅが、管用おねじ５０２１Ｅを螺刻した外筒５０２Ｅとフランジ５０１と挿入筒５０３と挿入筒５０３に外嵌したＯリング５０４とにより形成されているもの。
本発明のワンタッチファスナー装置は、上記課題を達成するため、図示するように、請求項８の発明は、循環給湯機から配管された１対のフランジ付継手管５０Ｆ又は５０Ｇ又は５０Ｈ又は５０Ｊ又は５０Ｋと、浴槽に接続されたフランジ付給湯接続管２０１及びフランジ付戻湯接続管２０２と、ワンタッチファスナー３０とからなり、ワンタッチファスナー３０が、円筒形の円周部３１の切欠部３１０を、フランジ付継手管５０Ｆ又は５０Ｇ又は５０Ｈ又は５０Ｊ又は５０Ｋの外周に弾性的に嵌合できるようにした１対のファスナー本体３００と、各ファスナー本体３００の円周部３１の外周面から突出するように連設されて、給湯接続管２０１のフランジ２０１１及び戻湯接続管２０２のフランジ２０２１に係合できるようにした係止爪３１２を形成した複数個の係止ピン３１１とからなり、給湯配管６１及び戻湯配管６２を連結した１対のフランジ付継手管５０Ｆ又は５０Ｇ又は５０Ｈ又は５０Ｊ又は５０Ｋのスペーサ５０１１Ｆ又は５０１１Ｇ又は５０１１Ｈ又は５０１１Ｊ又は５０１１Ｋに、各ファスナー本体３００の切欠部３１０を介して円周部３１を嵌合し、各フランジ付継手管５０Ｆ又は５０Ｇ又は５０Ｈ又は５０Ｊ又は５０Ｋを、フランジ付給湯接続管２０１及び戻湯接続管２０２に挿入したとき、給湯接続管２０１のフランジ２０１１及び戻湯接続管２０２のフランジ２０２１に、係止ピン３１１の先端の係止爪３１２が係止し、ワンタッチで給湯配管６１及び戻湯配管６２と給湯接続管２０１及び戻湯接続管２０２との接続ができるようにしたもの。
本発明のワンタッチファスナー装置は、上記課題を達成するため、図示するように、請求項９の発明は、給湯機から配管されたフランジ付継手管５０Ｆ又は５０Ｇ又は５０Ｈ又は５０Ｊ又は５０Ｋと、浴槽に接続されたフランジ付給湯接続管２０１又はフランジ付戻湯接続管２０２と、ワンタッチファスナー３０とからなり、ワンタッチファスナー３０が、円筒形の円周部３１の切欠部３１０を、フランジ付継手管５０Ｆ又は５０Ｇ又は５０Ｈ又は５０Ｊ又は５０Ｋの外周に弾性的に嵌合できるようにしたファスナー本体３００と、ファスナー本体３００の円周部３１の外周面から突出するように連設されて、給湯接続管２０１のフランジ２０１１又は戻湯接続管２０２のフランジ２０２１に係合できるようにした係止爪３１２を設けた複数個の係止ピン３１１とからなり、給湯配管６１又は戻湯配管６２を連結したフランジ付継手管５０Ｆ又は５０Ｇ又は５０Ｈ又は５０Ｊ又は５０Ｋのスペーサ５０１１Ｆ又は５０１１Ｇ又は５０１１Ｈ又は５０１１Ｊ又は５０１１Ｋに、ファスナー本体３００の切欠部３１０を介して円周部３１を嵌合し、フランジ付継手管５０Ｆ又は５０Ｇ又は５０Ｈ又は５０Ｊ又は５０Ｋを、フランジ付給湯接続管２０１又は給湯接続管２０２に挿入したとき、給湯接続管２０１のフランジ２０１１又は戻湯接続管２０２のフランジ２０２１に、係止ピン３１１の先端の係止爪３１２が係止し、ワンタッチで給湯配管６１又は戻湯配管６２と給湯接続管２０１又は戻湯接続管２０２との接続ができるようにしたもの。
本発明のワンタッチファスナー装置は、上記課題を達成するため、図示するように、請求項１０の発明は、前記フランジ付継手管５０Ｆが、たけのこ状突条５０２Ｆとたけのこ状突条５０２Ｆの後端に外嵌したスペーサ５０１１Ｆとフランジ５０１と挿入筒５０３と挿入筒５０３に外嵌したＯリング５０４とにより形成されているもの。
本発明のワンタッチファスナー装置は、上記課題を達成するため、図示するように、請求項１１の発明は、前記フランジ付継手管５０Ｇが、ダブルロックリング５０２２ＧとＯリング５０２３Ｇを内嵌した外筒５０２Ｇと外筒５０２Ｇの後端に外嵌したスペーサ５０１１Ｇとフランジ５０１と挿入筒５０３と挿入筒５０３に外嵌したＯリング５０４とにより形成されているもの。
本発明のワンタッチファスナー装置は、上記課題を達成するため、図示するように、請求項１２の発明は、前記フランジ付継手管５０Ｈが、Ｏリング５０５Ｈを外嵌した内筒５０２Ｈと内筒５０２Ｈの後端に外嵌したスペーサ５０１１Ｈとフランジ５０１と挿入筒５０３と挿入筒５０３に外嵌したＯリング５０４とクリップバンド５０６Ｈとにより形成されているもの。
本発明のワンタッチファスナー装置は、上記課題を達成するため、図示するように、請求項１３の発明は、前記フランジ付継手管５０Ｊが、ロー付け筒５０２Ｊとロー付け筒５０２Ｊの後端に外嵌したスペーサ５０１１Ｊとフランジ５０１と挿入筒５０３と挿入筒５０３に外嵌したＯリング５０４とにより形成されているもの。
本発明のワンタッチファスナー装置は、上記課題を達成するため、図示するように、請求項１４の発明は、前記フランジ付継手管５０Ｋが、管用おねじ５０２１Ｋを螺刻した外筒５０２Ｋと外筒５０２Ｋの後端に外嵌したスペーサ５０１１Ｋとフランジ５０１と挿入筒５０３と挿入筒５０３に外嵌したＯリング５０４とにより形成されているもの。
本発明において、ワンタッチファスナーは、ポリアセタール等の合成樹脂製が好ましい。
本発明において、スペーサは、硬質ゴム製又は合成樹脂製が好ましい。
【発明の効果】
【０００５】
本発明のワンタッチファスナー装置は、給湯機からの給湯配管又は戻湯配管を、浴槽側の給湯接続管又は戻湯接続管に接続する際、狭く暗い場所でも、スパナ等の工具を要することなく、手探りで、給湯配管又は戻湯配管の先端の継手管を、給湯接続管又は戻湯接続管に挿入するだけでよいので、ワンタッチで配管接続ができ、作業時間の短縮がはかられると共に、手先の安全をはかることができる。
また、本発明のワンタッチファスナーは、合成樹脂の一体成型で製作でき、大幅にコストを下げることができる。
【発明を実施するための最良の形態】
【０００６】
本発明の実施例１は、図１−１乃至図１−５に示されている。また、本発明の実施例２は、図２−１乃至図２−５に示されている。  また、本発明の実施例３は、図１−１、図１−２、図３−１乃至図３−３に示されている。  また、本発明の実施例４は、図２−１、図２−２、図３−１乃至図３−３に示されている。また、本発明の実施例５は、図１−１、図１−２、図４−１及び図４−２に示されている。また、本発明の実施例６は、図２−１、図２−２、図４−１及び図４−２に示されている。  また、本発明の実施例７は、図１−１、図１−２、図５−１及び図５−２に示されている。また、本発明の実施例８は、図２−１、図２−２、図５−１及び図５−２に示されている。  また、本発明の実施例９は、図１−１、図１−２、図６−１及び図６−２に示されている。また、本発明の実施例１０は、図２−１、図２−２、図６−１及び図６−２に示されている。
また、本発明の実施例１１は、図１−１、図１−２、図７−１乃至図７−４に示されている。また、本発明の実施例１２は、図２−１、図２−２、図８−１乃至図８−３に示されている。また、本発明の実施例１３は、図１−１、図１−２、図９−１乃至図９−３に示されている。また、本発明の実施例１４は、図２−１、図２−２、図９−１乃至図９−３に示されている。また、本発明の実施例１５は、図１−１、図１−２、図１０−１及び図１０−２に示されている。また、本発明の実施例１６は、図２−１、図２−２、図１０−１及び図１０−２に示されている。また、本発明の実施例１７は、図１−１、図１−２、図１１−１及び図１１−２に示されている。また、本発明の実施例１８は、図２−１、図２−２、図１１−１及び図１１−２に示されている。また、本発明の実施例１９は、図１−１、図１−２、図１２−１及び図１２−２に示されている。また、本発明の実施例２０は、図２−１、図２−２、図１２−１及び図１２−２に示されている。
【実施例１】
【０００７】
本発明実施例１が図１−１乃至図１−５に示されている。
本発明のワンタッチファスナー装置は、１対のフランジ付継手管５０Ａと、フランジ付給湯接続管２０１及びフランジ付戻湯接続管２０２と、ワンタッチファスナー３０とを備えている。
フランジ付継手管５０Ａは、図１−４に示すように、先端に３乃至４段のたけのこ状突条５０２Ａを設け、中間部にフランジ５０１を連設し、後端に２条のＯリング５０４を外嵌した挿入筒５０３を設けている。
フランジ付給湯接続管２０１及びフランジ付戻湯接続管２０２は、給湯戻湯金具２０の先端にそれぞれ平行に連設され、各接続管２０１、２０２の先端には各々フランジ２０１１、２０２１が設けられている。
ワンタッチファスナー３０は、１対のファスナー本体３００と、４本の係止ピン３１１からなり、ファスナー本体３００は、給湯戻湯金具２０に平行に設けられている給湯接続管２０１及び戻湯接続管２０２に同時に弾性的に嵌合できるように、２つの短円筒形の円周部３１、３１をメガネ形に連ね、２ケ所に切欠部３１０、３１０が設けられている。
係止ピン３１１は、各ファスナー本体３００の切欠部３１０の両側の円筒形の円周部３１の外周面から突出するように連設され、先端には、フランジ付継手管５０Ａのフランジ５０１を係止できる係止爪３１２が、内側に向けて設けられている。
従って、ワンタッチファスナー装置を使用する際は、図１−３乃至図１−５に示すように、各ファスナー本体３００の円周部３１の外側を手で左右に開き、給湯接続管２０１及び戻湯接続管２０２に同時にバネ力で嵌合して準備し、給湯配管６１及び戻湯配管６２に接続するときは、給湯配管６１及び戻湯配管６２に連結したフランジ付継手管５０Ａ、５０Ａの挿入筒５０３、５０３を、それぞれ浴槽側の給湯接続管２０１及び戻湯接続管２０２に挿入すれば、フランジ５０１、５０１にそれぞれ両側の係止爪３１２、３１２が係止し、給湯配管６１及び戻湯配管６２と給湯接続管２０１及び戻湯接続管２０２との接続が自動的にできる。
【実施例２】
【０００８】
本発明の実施例２が図２−１乃至図２−５に示されている。
本発明のワンタッチファスナー装置は、１個のフランジ付継手管５０Ａと、フランジ付給湯接続管２０１又はフランジ付戻湯接続管２０２と、ワンタッチファスナー３０とを備えている。
フランジ付継手管５０Ａ、フランジ付給湯接続管２０１又はフランジ付戻湯接続管２０２の構成は、本発明実施例１と同じであるので詳細説明は省略する。
ワンタッチファスナー３０は、ファスナー本体３００と、２本の係止ピン３１１からなり、ファスナー本体３００は、短円筒形の円周部３１の一部に切欠部３１０を設け、給湯戻湯金具２０の給湯接続管２０１又は戻湯接続管２０２の外周に、弾性的に嵌合できるように形成されている。
係止ピン３１１は、ファスナー本体３００の切欠部３１０の両側の円筒形の円周部３１の外周面から突出するように連設され、先端には、フランジ付継手管５０Ａのフランジ５０１を係止できる係止爪３１２が、内側に向けて設けられている。
従って、ワンタッチファスナー装置を使用する際は、図２−３乃至図２−５に示すように、ファスナー本体３００の円周部３１の切欠部３１０の両側を手で開いて、給湯接続管２０１のフランジ２０１１又は戻湯接続管２０２のフランジ２０２１に沿うように外周に嵌合して準備し、給湯配管６１又は戻湯配管６２に接続するときは、給湯配管６１又は戻湯配管６２に連結したフランジ付継手管５０Ａの挿入筒５０３を、給湯接続管２０１又は戻湯接続管２０２に挿入すれば、フランジ５０１に係止爪３１２が係止し、工具を使用することなく、給湯配管６１又は戻湯配管６２と給湯接続管２０１又は戻湯接続管２０２との接続が自動的にできる。
【実施例３】
【０００９】
本発明の実施例３が図１−１、図１−２、図３−１乃至図３−３に示されている。
本発明のワンタッチファスナー装置は、１対のフランジ付継手管５０Ｂと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｂは、外筒５０２Ｂとダブルロックリング５０２２Ｂと押えリング５０２１Ｂとフランジ５０１と挿入筒５０３とからなり、外筒５０２Ｂの先端には押えリング５０２１Ｂが螺合するめねじを螺設し、内側にはダブルロックリング５０２２Ｂの挿入溝５０２０Ｂが設けられ、さらにその奥に、Ｏリング５０２３Ｂが内嵌されている。  ダブルロックリング５０２２Ｂは、図３−３に示すように、薄板金属製で、円環の内側に配管の挿入方向に斜めに傾いて複数の花びら状の突起５０２２１Ｂが形成されている。  外筒５０２Ｂの後側にフランジ５０１を連設し、さらにその後に２条のＯリング５０４を外嵌した挿入筒５０３を設けている
フランジ付継手管５０Ｂを使用するときは、外筒５０２Ｂの挿入溝５０２０Ｂにダブルロックリング５０２２Ｂを挿入し、押えリング５０２１Ｂを螺合して、後端でダブルロックリング５０２２Ｂを固定し、２条のＯリング５０２３Ｂを内嵌し、さらに、挿入筒５０３に２条のＯリング５０４を外嵌しておき、配管６１（６２）を押えリング５０２１Ｂ側から  外筒５０２Ｂの最奥まで挿入すれば、Ｏリング５０２３Ｂでシールすると共に、ダブルロックリング５０２２Ｂの突起５０２２１Ｂで配管６１（６２）が係止できる。  従って、ワンタッチファスナー装置を使用する際は、図１−３に示すように、各ファスナー本体３００の円周部３１の外側を手で左右に開き、給湯接続管２０１及び戻湯接続管２０２に同時にバネ力で嵌合して準備し、給湯配管６１及び戻湯配管６２に接続するときは、給湯配管６１及び戻湯配管６２に連結したフランジ付継手管５０Ｂ、５０Ｂの挿入筒５０３、５０３を、それぞれ浴槽側の給湯接続管２０１及び戻湯接続管２０２に挿入すれば、フランジ５０１、５０１にそれぞれ両側の係止爪３１２、３１２が係止し、給湯配管６１及び戻湯配管６２と給湯接続管２０１及び戻湯接続管２０２との接続が自動的にできる。
【実施例４】
【００１０】
本発明の実施例４が図２−１、図２−２、図３−１乃至図３−３に示されている。
本発明のワンタッチファスナー装置は、フランジ付継手管５０Ｂと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｂの構成は、本発明実施例３と同じであるので詳細説明は省略する。
従って、ワンタッチファスナー装置を使用する際は、図２−３に示すように、ファスナー本体３００の円周部３１の切欠部３１０の両側を手で開いて、給湯接続管２０１のフランジ２０１１又は戻湯接続管２０２のフランジ２０２１に沿うように外周に嵌合して準備し、給湯配管６１又は戻湯配管６２に接続するときは、給湯配管６１又は戻湯配管６２に連結したフランジ付継手管５０Ｂの挿入筒５０３を、給湯接続管２０１又は戻湯接続管２０２に挿入すれば、フランジ５０１に係止爪３１２が係止し、工具を使用することなく、給湯配管６１又は戻湯配管６２と給湯接続管２０１又は戻湯接続管２０２との接続が自動的にできる。
【実施例５】
【００１１】
本発明の実施例５が図１−１、図１−２、図４−１及び図４−２に示されている。
本発明のワンタッチファスナー装置は、１対のフランジ付継手管５０Ｃと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｃは、先端に２条のＯリング５０５Ｃを外嵌した内筒５０２Ｃを設け、中間部にフランジ５０１を連設し、後端に２条のＯリング５０４を外嵌した挿入筒５０３を設けている。
フランジ付継手管５０Ｃを使用するときは、内筒５０２Ｃに給湯配管６１又は戻湯配管６２を外嵌し、Ｏリング５０５Ｃでシールし、クリップバンド５０６Ｃにより固定すればよい。
従って、ワンタッチファスナー装置を使用する際は、図１−３に示すように、各ファスナー本体３００の円周部３１の外側を手で左右に開き、給湯接続管２０１及び戻湯接続管２０２に同時にバネ力で嵌合して準備し、給湯配管６１及び戻湯配管６２に接続するときは、給湯配管６１及び戻湯配管６２に連結したフランジ付継手管５０Ｃ、５０Ｃの挿入筒５０３、５０３を、それぞれ浴槽側の給湯接続管２０１及び戻湯接続管２０２に挿入すれば、フランジ５０１、５０１にそれぞれ両側の係止爪３１２、３１２が係止し、給湯配管６１及び戻湯配管６２と給湯接続管２０１及び戻湯接続管２０２との接続が自動的にできる。
【実施例６】
【００１２】
本発明の実施例６が図２−１、図２−２、図４−１及び図４−２に示されている。
本発明のワンタッチファスナー装置は、フランジ付継手管５０Ｃと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｃの構成は、本発明実施例５と同じであるので詳細説明は省略する。
従って、ワンタッチファスナー装置を使用する際は、図２−３に示すように、ファスナー本体３００の円周部３１の切欠部３１０の両側を手で開いて、給湯接続管２０１のフランジ２０１１又は戻湯接続管２０２のフランジ２０２１に沿うように外周に嵌合して準備し、給湯配管６１又は戻湯配管６２に接続するときは、給湯配管６１又は戻湯配管６２に連結したフランジ付継手管５０Ｃの挿入筒５０３を、給湯接続管２０１又は戻湯接続管２０２に挿入すれば、フランジ５０１に係止爪３１２が係止し、工具を使用することなく、給湯配管６１又は戻湯配管６２と給湯接続管２０１又は戻湯接続管２０２との接続が自動的にできる。
【実施例７】
【００１３】
本発明の実施例７が図１−１、図１−２、図５−１及び図５−２に示されている。
本発明のワンタッチファスナー装置は、１対のフランジ付継手管５０Ｄと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｄは、先端にロー付け筒５０２Ｄを設け、中間部にフランジ５０１を連設し、後端に２条のＯリング５０４を外嵌した挿入筒５０３を設けている。
フランジ付継手管５０Ｄを使用するときは、ロー付け筒５０２Ｄに給湯配管６１又は戻湯配管６２を外嵌し、ロー付け筒５０２Ｄと配管６１又は６２の先端をロー付けすればよい。
従って、ワンタッチファスナー装置を使用する際は、図１−３に示すように、各ファスナー本体３００の円周部３１の外側を手で左右に開き、給湯接続管２０１及び戻湯接続管２０２に同時にバネ力で嵌合して準備し、給湯配管６１及び戻湯配管６２に接続するときは、給湯配管６１及び戻湯配管６２に連結したフランジ付継手管５０Ｄ、５０Ｄの挿入筒５０３、５０３を、それぞれ浴槽側の給湯接続管２０１及び戻湯接続管２０２に挿入すれば、フランジ５０１、５０１にそれぞれ両側の係止爪３１２、３１２が係止し、給湯配管６１及び戻湯配管６２と給湯接続管２０１及び戻湯接続管２０２との接続が自動的にできる。
【実施例８】
【００１４】
本発明の実施例８が図２−１、図２−２、図５−１及び図５−２に示されている。
本発明のワンタッチファスナー装置は、フランジ付継手管５０Ｄと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｄの構成は、本発明実施例７と同じであるので詳細説明は省略する。
従って、ワンタッチファスナー装置を使用する際は、図２−３に示すように、ファスナー本体３００の円周部３１の切欠部３１０の両側を手で開いて、給湯接続管２０１のフランジ２０１１又は戻湯接続管２０２のフランジ２０２１に沿うように外周に嵌合して準備し、給湯配管６１又は戻湯配管６２に接続するときは、給湯配管６１又は戻湯配管６２に連結したフランジ付継手管５０Ｄの挿入筒５０３を、給湯接続管２０１又は戻湯接続管２０２に挿入すれば、フランジ５０１に係止爪３１２が係止し、工具を使用することなく、給湯配管６１又は戻湯配管６２と給湯接続管２０１又は戻湯接続管２０２との接続が自動的にできる。
【実施例９】
【００１５】
本発明の実施例９が図１−１、図１−２、図６−１及び図６−２に示されている。
本発明のワンタッチファスナー装置は、１対のフランジ付継手管５０Ｅと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｅは、先端に管用おねじ５０２１Ｅを螺設した外筒５０２Ｅを設け、中間部にフランジ５０１を連設し、後端に２条のＯリング５０４を外嵌した挿入筒５０３を設けている。
フランジ付継手管５０Ｅを使用するときは、めねじ継手を連結した給湯配管６１又は戻湯配管６２をおねじ５０２１Ｅに螺入して固定すればよい。
従って、ワンタッチファスナー装置を使用する際は、図１−３に示すように、各ファスナー本体３００の円周部３１の外側を手で左右に開き、給湯接続管２０１及び戻湯接続管２０２に同時にバネ力で嵌合して準備し、給湯配管６１及び戻湯配管６２に接続するときは、給湯配管６１及び戻湯配管６２に連結したフランジ付継手管５０Ｅ、５０Ｅの挿入筒５０３、５０３を、それぞれ浴槽側の給湯接続管２０１及び戻湯接続管２０２に挿入すれば、フランジ５０１、５０１にそれぞれ両側の係止爪３１２、３１２が係止し、給湯配管６１及び戻湯配管６２と給湯接続管２０１及び戻湯接続管２０２との接続が自動的にできる。
【実施例１０】
【００１６】
本発明の実施例１０が図２−１、図２−２、図６−１及び図６−２に示されている。
本発明のワンタッチファスナー装置は、フランジ付継手管５０Ｅと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｅの構成は、本発明実施例９と同じであるので詳細説明は省略する。
従って、ワンタッチファスナー装置を使用する際は、図２−３に示すように、ファスナー本体３００の円周部３１の切欠部３１０の両側を手で開いて、給湯接続管２０１のフランジ２０１１又は戻湯接続管２０２のフランジ２０２１に沿うように外周に嵌合して準備し、給湯配管６１又は戻湯配管６２に接続するときは、給湯配管６１又は戻湯配管６２に連結したフランジ付継手管５０Ｅの挿入筒５０３を、給湯接続管２０１又は戻湯接続管２０２に挿入すれば、フランジ５０１に係止爪３１２が係止し、工具を使用することなく、給湯配管６１又は戻湯配管６２と給湯接続管２０１又は戻湯接続管２０２との接続が自動的にできる。
【実施例１１】
【００１７】
本発明実施例１１が図１−１、図１−２、図７−１乃至図７−４に示されている。
本発明のワンタッチファスナー装置は、１対のフランジ付継手管５０Ｆと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｆは、図７−４に示すように、先端に３乃至４段のたけのこ状突条５０２Ｆを設け、たけのこ状突条５０２の後端にスペーサ５０１１Ｆを外嵌し、中間部にフランジ５０１を連設し、後端に２条のＯリング５０４を外嵌した挿入筒５０３を設けている。
従って、ワンタッチファスナー装置を使用する際は、図７−１乃至図７−４に示すように、各ファスナー本体３００の円周部３１の外側を手で左右に開き、フランジ付継手管５０Ｆ、５０Ｆのスペーサ５０１１Ｆ、５０１１Ｆに同時にバネ力で嵌合して準備し、給湯接続管２０１及び戻湯接続管２０２に接続するときは、給湯配管６１及び戻湯配管６２に連結したフランジ付継手管５０Ｆ、５０Ｆの挿入筒５０３、５０３を、それぞれ浴槽側の給湯接続管２０１及び戻湯接続管２０２に挿入すれば、給湯接続管２０１のフランジ２０１１と戻湯接続管２０２のフランジ２０２１にそれぞれ両側の係止爪３１２、３１２が係止し、給湯配管６１及び戻湯配管６２と給湯接続管２０１及び戻湯接続管２０２との接続が自動的にできる。
【実施例１２】
【００１８】
本発明の実施例１２が図２−１、図２−２、図８−１乃至図８−３に示されている。
本発明のワンタッチファスナー装置は、フランジ付継手管５０Ｆと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｆの構成は、本発明実施例１１と同じであるので詳細説明は省略する。
従って、ワンタッチファスナー装置を使用する際は、図８−１に示すように、ファスナー本体３００の円周部３１の切欠部３１０の両側を手で開いて、フランジ付継手管５０Ｆのスペーサ５０１１Ｆの外周に嵌合して準備し、給湯接続管２０１又は戻湯接続管２０２に接続するときは、給湯配管６１又は戻湯配管６２に連結したフランジ付継手管５０Ｆの挿入筒５０３を、給湯接続管２０１又は戻湯接続管２０２に挿入すれば、給湯接続管２０１のフランジ２０１１又は戻湯接続管２０２のフランジ２０２１に係止爪３１２が係止し、工具を使用することなく、給湯配管６１又は戻湯配管６２と給湯接続管２０１又は戻湯接続管２０２との接続が自動的にできる。
【実施例１３】
【００１９】
本発明の実施例１３が図１−１、図１−２及び図９−１乃至図９−３に示されている。  本発明のワンタッチファスナー装置は、１対のフランジ付継手管５０Ｇと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｇは、外筒５０２Ｇとダブルロックリング５０２２Ｇと押えリング５０２１Ｇとスペーサ５０１１Ｇとフランジ５０１と挿入筒５０３とからなり、外筒５０２Ｇの先端には押えリング５０２１Ｇが螺合するめねじを螺設し、内側にはダブルロックリング５０２２Ｇの挿入溝５０２０Ｇが設けられ、さらにその奥に、Ｏリング５０２３Ｇが内嵌され、後端にはスペーサ５０１１Ｇが外嵌されている。
ダブルロックリング５０２２Ｇは、図９−３に示すように、薄板金属製で、円環の内側に配管の挿入方向に斜めに傾いて複数の花びら状の突起５０２２１Ｇが形成されている。  外筒５０２Ｇの後側にフランジ５０１を連設し、さらにその後に２条のＯリング５０４を外嵌した挿入筒５０３を設けている
フランジ付継手管５０Ｇを使用するときは、外筒５０２Ｇの挿入溝５０２０Ｇにダブルロックリング５０２２Ｇを挿入し、押えリング５０２１Ｇを螺合して、後端でダブルロックリング５０２２Ｇを固定し、２条のＯリング５０２３Ｇを内嵌し、さらに、挿入筒５０３に２条のＯリング５０４を外嵌しておき、配管６１（６２）を押えリング５０２１Ｇ側から  外筒５０２Ｇの最奥まで挿入すれば、Ｏリング５０２３Ｇでシールすると共に、ダブルロックリング５０２２Ｇの突起５０２２１Ｇで配管６１（６２）が係止できる。  従って、ワンタッチファスナー装置を使用する際は、図７−１に示すように、各ファスナー本体３００の円周部３１の外側を手で左右に開き、フランジ付継手管５０Ｇ、５０Ｇのスペーサ５０１１Ｇ、５０１１Ｇに同時にバネ力で嵌合して準備し、給湯接続管２０１及び戻湯接続管２０２に接続するときは、給湯配管６１及び戻湯配管６２に連結したフランジ付継手管５０Ｇ、５０Ｇの挿入筒５０３、５０３を、それぞれ浴槽側の給湯接続管２０１及び戻湯接続管２０２に挿入すれば、給湯接続管２０１のフランジ２０１１と戻湯接続管２０２のフランジ２０２１にそれぞれ両側の係止爪３１２、３１２が係止し、給湯配管６１及び戻湯配管６２と給湯接続管２０１及び戻湯接続管２０２との接続が自動的にできる。
【実施例１４】
【００２０】
本発明の実施例１４が図２−１、図２−２、図９−１乃至図９−３に示されている。
本発明のワンタッチファスナー装置は、フランジ付継手管５０Ｇと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｇの構成は、本発明実施例１３と同じであるので詳細説明は省略する。
従って、ワンタッチファスナー装置を使用する際は、図８−１に示すように、ファスナー本体３００の円周部３１の切欠部３１０の両側を手で開いて、フランジ付継手管５０Ｇのスペーサ５０１１Ｇの外周に嵌合して準備し、給湯接続管２０１又は戻湯接続管２０２に接続するときは、給湯配管６１又は戻湯配管６２に連結したフランジ付継手管５０Ｇの挿入筒５０３を、給湯接続管２０１又は戻湯接続管２０２に挿入すれば、給湯接続管２０１のフランジ２０１１又は戻湯接続管２０２のフランジ２０２１に係止爪３１２が係止し、工具を使用することなく、給湯配管６１又は戻湯配管６２と給湯接続管２０１又は戻湯接続管２０２との接続が自動的にできる。
【実施例１５】
【００２１】
本発明の実施例１５が図１−１、図１−２、図１０−１及び図１０−２に示されている。
本発明のワンタッチファスナー装置は、１対のフランジ付継手管５０Ｈと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｈは、先端に２条のＯリング５０５Ｈを外嵌した内筒５０２Ｈを設け、内筒５０２Ｈの後端にスペーサ５０１１Ｈを外嵌し、中間部にフランジ５０１を連設し、後端に２条のＯリング５０４を外嵌した挿入筒５０３を設けている。
フランジ付継手管５０Ｈを使用するときは、内筒５０２Ｈに給湯配管６１又は戻湯配管６２を外嵌し、Ｏリング５０５Ｈでシールし、クリップバンド５０６Ｈにより固定すればよい。
従って、ワンタッチファスナー装置を使用する際は、図７−１に示すように、各ファスナー本体３００の円周部３１の外側を手で左右に開き、フランジ付継手管５０Ｈ、５０Ｈのスペーサ５０１１Ｈ、５０１１Ｈに同時にバネ力で嵌合して準備し、給湯接続管２０１及び戻湯接続管２０２に接続するときは、給湯配管６１及び戻湯配管６２に連結したフランジ付継手管５０Ｈ、５０Ｈの挿入筒５０３、５０３を、それぞれ浴槽側の給湯接続管２０１及び戻湯接続管２０２に挿入すれば、給湯接続管２０１のフランジ２０１１と戻湯接続管２０２のフランジ２０２１にそれぞれ両側の係止爪３１２、３１２が係止し、給湯配管６１及び戻湯配管６２と給湯接続管２０１及び戻湯接続管２０２との接続が自動的にできる。
【実施例１６】
【００２２】
本発明の実施例１６が図２−１、図２−２、図１０−１及び図１０−２に示されている。
本発明のワンタッチファスナー装置は、フランジ付継手管５０Ｈと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｈの構成は、本発明実施例１５と同じであるので詳細説明は省略する。
従って、ワンタッチファスナー装置を使用する際は、図８−１に示すように、ファスナー本体３００の円周部３１の切欠部３１０の両側を手で開いて、フランジ付継手管５０Ｈのスペーサ５０１１Ｈの外周に嵌合して準備し、給湯接続管２０１又は戻湯接続管２０２に接続するときは、給湯配管６１又は戻湯配管６２に連結したフランジ付継手管５０Ｈの挿入筒５０３を、給湯接続管２０１又は戻湯接続管２０２に挿入すれば、給湯接続管２０１のフランジ２０１１又は戻湯接続管２０２のフランジ２０２１に係止爪３１２が係止し、工具を使用することなく、給湯配管６１又は戻湯配管６２と給湯接続管２０１又は戻湯接続管２０２との接続が自動的にできる。
【実施例１７】
【００２３】
本発明の実施例１７が図１−１、図１−２、図１１−１及び図１１−２に示されている。
本発明のワンタッチファスナー装置は、１対のフランジ付継手管５０Ｊと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｊは、先端にロー付け筒５０２Ｊを設け、ロー付け筒５０２Ｊの後端にスペーサ５０１１Ｊを外嵌し、中間部にフランジ５０１を連設し、後端に２条のＯリング５０４を外嵌した挿入筒５０３を設けている。
フランジ付継手管５０Ｊを使用するときは、ロー付け筒５０２Ｊに給湯配管６１又は戻湯配管６２を外嵌し、ロー付け筒５０２Ｊと配管６１又は６２の先端をロー付けすればよい。
従って、ワンタッチファスナー装置を使用する際は、図７−１に示すように、各ファスナー本体３００の円周部３１の外側を手で左右に開き、フランジ付継手管５０Ｊ、５０Ｊのスペーサ５０１１Ｊ、５０１１Ｊに同時にバネ力で嵌合して準備し、給湯接続管２０１及び戻湯接続管２０２に接続するときは、給湯配管６１及び戻湯配管６２に連結したフランジ付継手管５０Ｊ、５０Ｊの挿入筒５０３、５０３を、それぞれ浴槽側の給湯接続管２０１及び戻湯接続管２０２に挿入すれば、給湯接続管２０１のフランジ２０１１と戻湯接続管２０２のフランジ２０２１にそれぞれ両側の係止爪３１２、３１２が係止し、給湯配管６１及び戻湯配管６２と給湯接続管２０１及び戻湯接続管２０２との接続が自動的にできる。
【実施例１８】
【００２４】
本発明の実施例１８が図２−１、図２−２、図１１−１及び図１１−２に示されている。
本発明のワンタッチファスナー装置は、フランジ付継手管５０Ｊと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｊの構成は、本発明実施例１７同じであるので詳細説明は省略する。
従って、ワンタッチファスナー装置を使用する際は、図８−１に示すように、ファスナー本体３００の円周部３１の切欠部３１０の両側を手で開いて、フランジ付継手管５０Ｊのスペーサ５０１１Ｊの外周に嵌合して準備し、給湯接続管２０１又は戻湯接続管２０２に接続するときは、給湯配管６１又は戻湯配管６２に連結したフランジ付継手管５０Ｊの挿入筒５０３を、給湯接続管２０１又は戻湯接続管２０２に挿入すれば、給湯接続管２０１のフランジ２０１１又は戻湯接続管２０２のフランジ２０２１に係止爪３１２が係止し、工具を使用することなく、給湯配管６１又は戻湯配管６２と給湯接続管２０１又は戻湯接続管２０２との接続が自動的にできる。
【実施例１９】
【００２５】
本発明の実施例１９が図１−１、図１−２、図１２−１及び図１２−２に示されている。
本発明のワンタッチファスナー装置は、１対のフランジ付継手管５０Ｋと、フランジ付給湯接続管２０１及びフランジ付戻湯接続管２０２と、ワンタッチファスナー３０とを備えている。
フランジ付給湯接続管２０１及びフランジ付戻湯接続管２０２、ワンタッチファスナー３０の構成は、本発明実施例１と同じであるので詳細説明は省略する。
フランジ付継手管５０Ｋは、先端に管用おねじ５０２１Ｋを螺設した外筒５０２Ｋを設け、外筒５０２Ｋの後端にスペーサ５０１１Ｋを外嵌し、中間部にフランジ５０１を連設し、後端に２条のＯリング５０４を外嵌した挿入筒５０３を設けている。
フランジ付継手管５０Ｋを使用するときは、めねじ継手を連結した給湯配管６１又は戻湯配管６２をおねじ５０２１Ｋに螺入して固定すればよい。
従って、ワンタッチファスナー装置を使用する際は、図７−１に示すように、各ファスナー本体３００の円周部３１の外側を手で左右に開き、フランジ付継手管５０Ｋ、５０Ｋのスペーサ５０１１Ｋ、５０１１Ｋに同時にバネ力で嵌合して準備し、給湯接続管２０１及び戻湯接続管２０２に接続するときは、給湯配管６１及び戻湯配管６２に連結したフランジ付継手管５０Ｋ、５０Ｋの挿入筒５０３、５０３を、それぞれ浴槽側の給湯接続管２０１及び戻湯接続管２０２に挿入すれば、給湯接続管２０１のフランジ２０１１と戻湯接続管２０２のフランジ２０２１にそれぞれ両側の係止爪３１２、３１２が係止し、給湯配管６１と戻湯配管６２と給湯接続管２０１及び戻湯接続管２０２との接続が自動的にできる。
【実施例２０】
【００２６】
本発明の実施例２０が図２−１、図２−２、図１２−１及び図１２−２に示されている。
本発明のワンタッチファスナー装置は、フランジ付継手管５０Ｋと、フランジ付給湯接続管２０１又はフランジ付戻湯接続管２０２と、ワンタッチファスナー３０とを備えている。
フランジ付給湯接続管２０１又はフランジ付戻湯接続管２０２の構成は、本発明実施例１と同じであるので詳細説明は省略する。
ワンタッチファスナー３０の構成は、本発明実施例２と同じであるので詳細説明は省略する。
フランジ付継手管５０Ｋの構成は、本発明実施例１９同じであるので詳細説明は省略する。
従って、ワンタッチファスナー装置を使用する際は、図８−１に示すように、ファスナー本体３００の円周部３１の切欠部３１０の両側を手で開いて、フランジ付継手管５０Ｋのスペーサ５０１１Ｋの外周に嵌合して準備し、給湯接続管２０１又は戻湯接続管２０２に接続するときは、給湯配管６１又は戻湯配管６２に連結したフランジ付継手管５０Ｋの挿入筒５０３を、給湯接続管２０１又は戻湯接続管２０２に挿入すれば、給湯接続管２０１のフランジ２０１１又は戻湯接続管２０２のフランジ２０２１に係止爪３１２が係止し、工具を使用することなく、給湯配管６１又は戻湯配管６２と給湯接続管２０１又は戻湯接続管２０２との接続が自動的にできる。
【産業上の利用可能性】
【００２７】
本発明のワンタッチファスナーは、軽量、小型で量産でき、製作費も安価である。
【図面の簡単な説明】
【００２８】
【図１−１】本発明の実施例１を示す斜視図である。
【図１−２】図１−１の平面図である。
【図１−３】図１−１の使用状態説明図である。
【図１−４】図１−１の別の使用状態説明図である。
【図１−５】図１−１のさらに別の使用状態説明図である。
【図２−１】本発明の実施例２を示す斜視図である。
【図２−２】図２−１平面図である。
【図２−３】図２−１の使用状態説明図である。
【図２−４】図２−１の別の使用状態説明図である。
【図２−５】図２−１のさらに別の使用状態説明図である。
【図３−１】本発明の実施例３及び４の使用状態説明図である。
【図３−２】図３−１の継手管の断面図である。
【図３−３】図３−２のダブルロックリングの斜視図である。
【図４−１】本発明の実施例５及び６の使用状態説明図である。
【図４−２】図４−１の継手管の断面図である。
【図５−１】本発明の実施例７及び８の使用状態説明図である。
【図５−２】図５−１の継手管の断面図である。
【図６−１】本発明の実施例９及び１０の使用状態説明図である。
【図６−２】図６−１の継手管の断面図である。
【図７−１】本発明の実施例１１の使用状態説明図である。
【図７−２】本発明の実施例１１の別の使用状態説明図である。
【図７−３】本発明の実施例１１のさらに別の使用状態説明図である。
【図７−４】図７−１の継手管の断面図である。
【図８−１】本発明の実施例１２の使用状態説明図である。
【図８−２】本発明の実施例１２の別の使用状態説明図である。
【図８−３】本発明の実施例１２のさらに別の使用状態説明図である。
【図９−１】本発明の実施例１３及び１４の使用状態説明図である。
【図９−２】図９−１の継手管の断面図である。
【図９−３】図９−２のダブルロックリングの斜視図である。
【図１０−１】本発明の実施例１５及び１６の使用状態説明図である。
【図１０−２】図１０−１の継手管の断面図である。
【図１１−１】本発明の実施例１７及び１８の使用状態説明図である。
【図１１−２】図１１−１の継手管の断面図である。
【図１２−１】本発明の実施例１９及び２０の使用状態説明図である。
【図１２−２】図１２−１の継手管の断面図である。
【図１３】従来例の使用状態説明図である。
【符号の説明】
【００２９】
２０１                  フランジ付給湯接続管
２０２                  フランジ付戻湯接続管
３０                    ワンタッチファスナー
３００                  ファスナー本体
３１                    円周部
３１０                  切欠部
３１１                  係止ピン
３１２                  係止爪
５０Ａ、５０Ｂ、５０Ｃ、５０Ｄ、５０Ｅ、５０Ｆ、５０Ｇ、５０Ｈ、５０Ｊ、５０Ｋ                          フランジ付継手管
５０１                  継手管のフランジ
５０１１Ｆ、５０１１Ｇ、５０１１Ｈ、５０１１Ｊ、５０１１Ｋ          スペーサ
５０２                  たけのこ状突条
５０２Ｂ、５０２Ｅ、５０２Ｇ、５０２Ｋ      外筒
５０２Ｃ、５０２Ｈ      内筒
５０２Ｄ、５０２Ｊ      ロー付け筒
５０２１Ｅ、５０２１Ｋ      管用おねじ
５０２２Ｂ、５０２２Ｇ      ダブルロックリング
５０２３Ｂ、５０２３Ｇ      Ｏリング
５０３                  挿入筒
５０４、５０５Ｃ、５０５Ｈ   Ｏリング
５０６Ｃ、５０６Ｈ          クリップバンド
６１                    給湯配管
６２                    戻湯配管
【図１−１】
2009299918.tif 000003
【図１−２】
2009299918.tif 000004
【図１−３】
2009299918.tif 000005
【図１−４】
2009299918.tif 000006
【図１−５】
2009299918.tif 000007
【図２−１】
2009299918.tif 000008
【図２−２】
2009299918.tif 000009
【図２−３】
2009299918.tif 000010
【図２−４】
2009299918.tif 000011
【図２−５】
2009299918.tif 000012
【図３−１】
2009299918.tif 000013
【図３−２】
2009299918.tif 000014
【図３−３】
2009299918.tif 000015
【図４−１】
2009299918.tif 000016
【図４−２】
2009299918.tif 000017
【図５−１】
2009299918.tif 000018
【図５−２】
2009299918.tif 000019
【図６−１】
2009299918.tif 000020
【図６−２】
2009299918.tif 000021
【図７−１】
2009299918.tif 000022
【図７−２】
2009299918.tif 000023
【図７−３】
2009299918.tif 000024
【図７−４】
2009299918.tif 000025
【図８−１】
2009299918.tif 000026
【図８−２】
2009299918.tif 000027
【図８−３】
2009299918.tif 000028
【図９−１】
2009299918.tif 000029
【図９−２】
2009299918.tif 000030
【図９−３】
2009299918.tif 000031
【図１０−１】
2009299918.tif 000032
【図１０−２】
2009299918.tif 000033
【図１１−１】
2009299918.tif 000034
【図１１−２】
2009299918.tif 000035
【図１２−１】
2009299918.tif 000036
【図１２−２】
2009299918.tif 000037
【図１３】
2009299918.tif 000038